(57)【要約】【課題】    露光装置の光射出部が像担持体（感光体ドラム）および現像装置の近傍に設置されている電子写真式の画像形成装置において、光射出面が現像剤によって汚されることを防ぎ、画質欠陥のない良好な画像を得る。【解決手段】    露光装置３の像担持体１と対向する光射出面に層状の透明電極３５を設け、この透明電極に、帯電したトナーに斥力が作用する電圧を電圧制御装置３６から印加する。上記電圧は、直流に交流を重畳したものとするのが望ましい。上記電圧の印加は、現像装置による現像中に行い、浮遊したトナーの光射出面への付着を防止する。また、帯電装置の像担持体を帯電する動作及び現像装置の動作を停止した状態で像担持体を駆動し、透明電極３５に、像担持体１の表面電位より高電位となる電圧を印加する工程、及び像担持体より低電位となる電圧を印加する工程を行うのが望ましい。【選択図】  図４
2006035427.tif 000002
【特許請求の範囲】
【請求項１】
表面に光導電性を有する感光体層を備えた像担持体と、
該像担持体の表面と対向するように設けられ、該表面を一様に帯電する帯電装置と、
前記像担持体の表面に像光を照射して静電電位の差による静電潜像を形成する露光装置と、
前記像担持体の表面に帯電微粒子であるトナーを選択的に転移して前記静電潜像に対応したトナー像を形成する現像装置と、
前記像担持体上で形成されたトナー像を被転写体に転写する転写装置とを有する画像形成装置であって、
前記露光装置の前記像担持体と対向する光射出面に層状の透明電極が設けられ、
該透明電極は、帯電した前記トナーに斥力が作用する電圧が印加されるものであることを特徴とする画像形成装置。
【請求項２】
前記透明電極に印加される電圧は、直流に交流を重畳したものであることを特徴とする請求項１に記載の画像形成装置。
【請求項３】
画像信号に基づいて点滅する発光素子を備え、表面に光導電性を有する感光体層が形成された像担持体と対向するように配置されて、該像担持体の表面に光照射を行う露光装置であって、
前記像担持体と対向する光射出面に層状の透明電極が設けられ、
該透明電極は、帯電した前記トナーに斥力が作用する電圧が印加されるものであることを特徴とする露光装置。
【請求項４】
表面に光導電性を有する感光体層を備えた像担持体と、  該像担持体の表面と対向するように設けられ、該表面を一様に帯電する帯電装置と、  前記像担持体の表面に像光を照射して静電電位の差による静電潜像を形成する露光装置と、  前記像担持体の表面に帯電微粒子であるトナーを選択的に転移して前記静電潜像に対応したトナー像を形成する現像装置と、  前記像担持体上で形成されたトナー像を被転写体に転写する転写装置とを有する画像形成装置における前記露光装置の光射出面の清浄状態維持方法であって、
前記露光装置の前記像担持体と対向する光射出面に層状の透明電極を設けておき、
少なくとも前記現像装置から前記像担持体にトナーが転移されている間には、  前記透明電極に、帯電した前記トナーに斥力が作用する電圧を印加することを特徴とする光照射面の清浄状態維持方法。
【請求項５】
表面に光導電性を有する感光体層を備えた像担持体と、  該像担持体の表面と対向するように設けられ、該表面を一様に帯電する帯電装置と、  前記像担持体の表面に像光を照射して静電電位の差による静電潜像を形成する露光装置と、  前記像担持体の表面に帯電微粒子であるトナーを選択的に転移して前記静電潜像に対応したトナー像を形成する現像装置と、  前記像担持体上で形成されたトナー像を被転写体に転写する転写装置とを有する画像形成装置における露光装置の光射出面の清浄状態維持方法であって、
前記露光装置の前記像担持体と対向する光射出面に層状の透明電極を設けておき、
前記帯電装置の帯電動作及び前記現像装置のトナーを転移する動作を停止した状態で前記像担持体を駆動し、
前記透明電極に、前記像担持体の表面電位より高電位となるように電圧を印加する工程、及び前記像担持体の表面電位より低電位となるように電圧を印加する工程を行うことを特徴とする光照射面の清浄状態維持方法。
【発明の詳細な説明】
【技術分野】
【０００１】
本願に係る発明は、プリンタ、複写機、ファクシミリ等の電子写真方式の画像形成装置、特に露光装置の光射出面が像形成面に対向するように配置された画像形成装置、この画像形成装置で用いられる露光装置、及びこれらにおける光射出面の清浄状態維持方法に関するものである。
【背景技術】
【０００２】
電子写真方式を使用した画像形成装置においては、感光体層を有する像担持体の周面を周回移動させるとともに、その周面を帯電装置によって一様に帯電する。そして、周面に露光装置から像光を照射して光照射部の電位を減衰させ、静電電位の差による潜像を形成する。静電潜像には、現像装置からトナーが露光部又は非露光部に転移され、静電潜像に対応したトナー像が形成される。像担持体上のトナー像は、転写装置によって被転写体に転写され、最終的な記録媒体上に転写されたトナー像は加熱及び加圧されて定着画像とされる。
【０００３】
上記のような電子写真方式の画像形成装置における露光装置は、レーザーを画像信号に基づいて点滅しながら像担持体の周面上に走査するものが広く用いられている。この他、ＬＥＤ等の発光素子が多数配列された露光装置を像担持体の周面と近接対向するように配置し、各発光素子を点滅させることによって画像に対応した露光を行うものがある。
【０００４】
上記のような像担持体の周面と近接対向して配置された露光装置では、次に示すような問題点があることが知られている。
すなわち、露光装置の光射出面が感光体および現像装置の近傍に存在するため、現像剤が何らかの原因で浮遊した場合などに光射出面に付着しやすく、光射出面が汚れる。この汚れによって露光装置の露光量が低下し、静電潜像の品質が低下して画像欠陥が発生する。このような汚れの原因となる現像剤としては、現像装置内部の圧力上昇により現像装置から噴出するものや、先の画像形成工程を行なった際に十分清掃されず像担持体上に残留した現像剤が考えられる。
【０００５】
特許文献１及び特許文献２には、上記にように現像装置から画像形成装置内に漏れ出る現像剤に対して、現像装置と像担持体の表面との間隙を遮蔽するシールを現像装置に取り付ける技術が記載されている。また、特許文献３には、現像装置内部の圧力上昇を抑え、現像装置から現像剤が噴出すのを抑える技術が記載されている。さらに、特許文献４、特許文献５、特許文献６には、現像装置より漏れ出した現像剤や清掃不備で像担持体上に残留した現像剤に対して、露光装置の光射出面付近に電極を設け、静電気力で浮遊する現像剤を制御して露光装置の汚れを防止する技術が記載されている。
【０００６】
【特許文献１】特開平１０−１０８６４号公報
【特許文献２】特開２００２−１４８９３８号公報
【特許文献３】特開２００３−２７０９３９号公報
【特許文献４】特開平８−２４４２７７号公報
【特許文献５】特開２０００−４７４６２号公報
【特許文献６】特開２０００−２６７３６７号公報
【発明の開示】
【発明が解決しようとする課題】
【０００７】
しかしながら、上記のような従来の技術では次のような問題点が残されている。
現像装置と像担持体との間にフイルムシールを設けることによって、現像装置から現像剤が漏れ出したり、浮遊するトナーが広範囲に拡散するのを有効に低減することができるが、露光装置付近でトナーが浮遊するのを完全に防止することは難しい。また、現像装置内の圧力の上昇を防止する装置でも、同様にトナーの拡散を完全に防止することはできない。さらに、現像装置及び現像領域からトナーが拡散するだけではなく、像担持体上には先の画像を形成した後の清掃が完全でなかった時の残留トナーが存在することもあり、このような残留トナーが浮遊することもある。このため、特許文献１又は特許文献２に記載のようにフイルムシールを設けたり、特許文献３に記載のように現像装置内の圧力上昇を抑えるだけでは、露光装置の光射出面にトナーが付着してしまうことがある。
【０００８】
一方、特許文献４，特許文献５又は特許文献６に記載されているように露光装置の光射出部付近に電極を設けて適切な電圧を印加することにより、浮遊するトナーが光射出面に接近するのを防止する効果があるが、トナー粒子の挙動は画一ではなく、何らかの原因で光射出面に付着してしまうことがある。そして、一旦付着してしまったトナーに対しては上記電極は有効に作用しない。
【０００９】
本願発明は、このような事情に鑑みてなされたものであり、その主な目的は、露光装置の光射出部が像担持体（感光体）および現像装置の近傍に設置されている画像形成装置において、光射出面が現像剤によって汚されることを防ぎ、画質欠陥のない良好な画像を得ることである。
【課題を解決するための手段】
【００１０】
上記課題を解決するために、請求項1に記載の発明は、  表面に光導電性を有する感光体層を備えた像担持体と、  該像担持体の表面と対向するように設けられ、該表面を一様に帯電する帯電装置と、  前記像担持体の表面に像光を照射して静電電位の差による静電潜像を形成する露光装置と、  前記像担持体の表面に帯電微粒子であるトナーを選択的に転移して前記静電潜像に対応したトナー像を形成する現像装置と、  前記像担持体上で形成されたトナー像を被転写体に転写する転写装置とを有する画像形成装置であって、  前記露光装置の前記像担持体と対向する光射出面に層状の透明電極が設けられ、  該透明電極は、帯電した前記トナーに斥力が作用する電圧が印加されるものである画像形成装置を提供する。
【００１１】
この画像形成装置では、露光装置の光射出面が透明電極で被覆され、この透明電極に電圧が印加されることによって、電荷を有するトナーに斥力が作用する。これにより、光照射面にトナーが付着するのを有効に防止することができる。又、一旦透明電極に付着したトナー粒子にもこれを引き離すように力が作用し、常に光照射面を清浄な状態に維持することが可能となる。
【００１２】
請求項2に係る発明は、請求項1に記載の画像形成装置において、  前記透明電極に印加される電圧は、直流に交流を重畳したものとする。
【００１３】
この装置では、透明電極に印加される電圧が、直流に交流を重畳したものとなっているので、電荷を有するトナー粒子には形成される電界内で交流の周波数に応じて変動する力が作用する。したがって、トナーの粒子は振動するように挙動し、透明電極に付着してしまったトナー粒子も透明電極の表面から剥離しやすくなり、光照射面を清浄な状態に維持することができる。
【００１４】
請求項3に係る発明は、  画像信号に基づいて点滅する発光素子を備え、表面に光導電性を有する感光体層が形成された像担持体と対向するように配置されて、該像担持体の表面に光照射を行う露光装置であって、  前記像担持体と対向する光射出面に層状の透明電極が設けられ、  該透明電極は、帯電した前記トナーに斥力が作用する電圧が印加されるものである露光装置を提供するものである。
【００１５】
この露光装置は、光照射面に設けられた透明電極に電圧を印加することにより、請求項1に係る発明について説明したのと同様に、電荷を有するトナーの付着を防止するとともに、すでに付着してしまったトナー粒子を剥離して、光照射面を清浄に維持することができる。
【００１６】
請求項４に係る発明は、  表面に光導電性を有する感光体層を備えた像担持体と、  該像担持体の表面と対向するように設けられ、該表面を一様に帯電する帯電装置と、  前記像担持体の表面に像光を照射して静電電位の差による静電潜像を形成する露光装置と、  前記像担持体の表面に帯電微粒子であるトナーを選択的に転移して前記静電潜像に対応したトナー像を形成する現像装置と、  前記像担持体上で形成されたトナー像を被転写体に転写する転写装置とを有する画像形成装置における前記露光装置の光射出面の清浄状態維持方法であって、  前記露光装置の前記像担持体と対向する光射出面に層状の透明電極を設けておき、  少なくとも前記現像装置から前記像担持体にトナーが転移されている間には、  前記透明電極に、帯電した前記トナーに斥力が作用する電圧を印加することを特徴とする光照射面の清浄状態維持方法を提供するものである。
【００１７】
上記方法では、現像を行っている時にトナー粒子の浮遊量が増加し、露光装置の光照射面付近へ浮遊トナーが到達することがあっても、透明電極に電圧を印加して形成された電界の作用により露光装置の光照射面にトナー粒子が付着するのを防止することができる。また、付着してしまったトナー粒子も剥離することが可能となる。
【００１８】
請求項5に係る発明は、  表面に光導電性を有する感光体層を備えた像担持体と、  該像担持体の表面と対向するように設けられ、該表面を一様に帯電する帯電装置と、  前記像担持体の表面に像光を照射して静電電位の差による静電潜像を形成する露光装置と、  前記像担持体の表面に帯電微粒子であるトナーを選択的に転移して前記静電潜像に対応したトナー像を形成する現像装置と、  前記像担持体上で形成されたトナー像を被転写体に転写する転写装置とを有する画像形成装置における露光装置の光射出面の清浄状態維持方法であって、  前記露光装置の前記像担持体と対向する光射出面に層状の透明電極を設けておき、  前記帯電装置の帯電動作及び前記現像装置のトナーを転移する動作を停止した状態で前記像担持体を駆動し、  前記透明電極に、前記像担持体の表面電位より高電位となるように電圧を印加する工程、及び前記像担持体の表面電位より低電位となるように電圧を印加する工程を行うことを特徴とする光照射面の清浄状態維持方法を提供するものである。
【００１９】
トナー粒子が有する電荷は全てが同極性に帯電するのが望ましいが、摩擦等によって帯電したときに、逆極性に帯電してしまうトナー粒子が多少は生じる。このような逆極性のトナー粒子は、大部分のトナー粒子に斥力を付与する電圧を透明電極に印加した時に、透明電極に引きつけるように力が作用してしまう。しかし、本請求項に係る方法では、現像を行っていない時に、像担持体より高い電圧を透明電極に印加することによって、正電荷を有するトナーを像担持体に転移し、その後、像担持体より低い電圧を透明電極に印加することによって、負電荷を有するトナーを像担持体に転移する。これにより、正負いずれに帯電しているトナー粒子をも像担持体に転移させて、露光装置の光照射面を清浄な状態にすることができる。
【発明の効果】
【００２０】
以上説明したように、本願発明では、露光装置の光照射面と電荷を有するトナー粒子との間に斥力を作用させることができ、光照射面にトナーが付着するのを有効に防止することができる。また、光照射面に付着してしまったトナー粒子も剥離することができ、光照射面を清浄な状態に維持することが可能となる。これにより、像担持体上の感光体層に正確な静電潜像を形成することが可能となり、欠陥のない良好な画像を得ることができる。
【発明を実施するための最良の形態】
【００２１】
以下、本願発明の実施の形態を図に基づいて説明する。
図１は、請求項１又は請求項２に記載の発明の一実施形態である画像形成装置を示す概略構成図である。
この画像形成装置は、イエロー、マゼンタ、シアン、ブラックのトナー像を形成する４つの画像形成ユニット１０ａ、１０ｂ、１０ｃ、１０ｄを備えており、これらの画像形成ユニット１０のそれぞれと対向するように無端ベルト状の中間転写体１１が支持され、周面が周回駆動されるものとなっている。画像形成ユニットが中間転写体１１と対向する位置の下流側には、転写ロール１２が中間転写体１１と対向するように配置されており、この２次転写部にはシートトレイ１３から搬送路１４を経て記録シートが搬送される。記録シートの搬送経路における２次転写部の下流側には、トナー像を加熱・加圧して記録シート上にトナー像を圧着する定着装置１５が設けられ、さらに下流側には、トナー像が定着された記録シートを収容する排紙トレイ１６が設けられている。一方、中間転写体１１の周回方向における２次転写部の下流側には、２次転写部で記録シートに転写されずに残留したトナー及び２次転写されないパッチを回収するために、該中間転写体１１と対向してクリーニング装置１７が設けられている。
【００２２】
上記画像形成ユニット１０ａ、１０ｂ、１０ｃ、１０ｄのそれぞれは、図２に示すように、表面に静電潜像が形成される感光体ドラム１（像担持体）を有しており、各感光体ドラム１の周囲に、該感光体ドラムの表面をほぼ一様に帯電する帯電装置２と、感光体ドラム表面に画像信号に基づく像光を照射して静電潜像を書き込む露光装置３と、感光体ドラム上に形成された潜像にトナーを選択的に転移させてトナー像を形成する現像装置４と、感光体ドラム１上のトナー像を中間転写体１１上に一次転写する転写装置５と、転写後の感光体ドラム１に残留したトナーを回収するクリーニング装置６とを備えている。
【００２３】
上記帯電装置２は、ステンレス製の円筒状芯金に中抵抗のゴムを被覆したロール状の部材を備えており、電圧制御装置２１により直流電圧に交流電圧を重畳した電圧を印加して感光体ドラム１の表面を所望の電圧に帯電するものである。この帯電装置２に印加される電圧の直流成分Vhは−６００［Ｖ］とし、重畳する交流のピークツーピーク値Vbppは１４００［Ｖ］となっている。
【００２４】
また露光装置３は、感光体ドラムの軸線方向に伸びたＬＥＤアレイであり，光を射出する面が感光体ドラム１の周面に対向するように設置されている。図３は露光装置３の感光体ドラムの軸線に垂直な断面を示すものである。露光装置３の中心部分には複数のＬＥＤ素子３１と駆動用回路３２が感光体ドラム１の軸線方向に配列され、ＬＥＤ素子３１の発光面側には光を感光体ドラム１に導くためのレンズ３３が設置されている。ＬＥＤ素子３１および駆動用回路３２は樹脂性の筐体３４に収められており、レンズ３３はＬＥＤ素子３１と近接対向するように支持され、反対側は光の射出面となっている。そして、光射出面は透明電極３５によって被覆されている。この透明電極３５は、スパッタリングなどによって形成されたインジウムチタンオキサイド（ＩＴＯ）の薄膜であり、透明で導電性を有し、厚さが１５０ｎｍとなっている。この透明電極５４は端部で電圧制御装置３６に接続され、電圧VLEDが印加される。この例では、直流電圧−８００［Ｖ］が印加されている。
【００２５】
現像装置４には現像剤としてトナーと磁性キャリアとからなる二成分現像剤が使用されており，現像剤攪拌搬送手段４１により感光体ドラム１に対向して設置された現像ロール４２に供給される。この際、トナーは主に磁性キャリアとの摩擦により負極性に帯電される。現像剤は回転する現像ロール４２上で規制ブレード４３により適切な厚さの層とされ、感光体ドラム１との対向位置へと供給される。この現像ロール４２にはトナーを感光体ドラム１上の静電潜像を現像するための現像バイアス電圧Vd=−５００［Ｖ］が印加されている。
【００２６】
感光体ドラム１は、金属からなる円筒状部材の周面に有機感光体層を形成したものであり、金属部分にバイアス電圧Vlとして−２００［Ｖ］が印加されている。
なお、画像形成ユニット１０の各部材、つまりに帯電装置２、現像ロール４２、感光体ドラム１に印加される電圧Vh,Vd,Vlは全て負極性とし、Vh＜Vd＜Vlの関係を満たすように設定される。
【００２７】
上記画像形成ユニット１０ａ、１０ｂ、１０ｃ、１０ｄと対向するように配置される中間転写体１１は、厚さが１０〜３００μm程度の樹脂フイルムからなるものであり、ポリイミドフィルム等が用いられる。また、トナー像を感光体ドラム１から中間転写体１１へ静電的に転写するときに、画像の乱れが生じないように上記樹脂フィルムにはカーボンブラック等の導電性材料の粉体を混入し、体積抵抗率を１０10Ωｃｍ程度に調整している。
【００２８】
上記中間転写体１１の内側には、駆動ロール１８と、転写部に配置された対向ロール１９と、支持ロール２３，２４，２５とが配置され、中間転写体１１はこれらに張架されて図中に示す矢印方向に周回移動するようになっている。
【００２９】
上記転写ロール１２は、上記対向ロール１９と対向する位置に設けられ、中間転写体１１を介して対向ロール１９に押圧されている。この転写ロール１２は、金属の芯材に導電性のゴム材で外周部を形成してロール状としたものであり、対向ロール１９との間に転写用のバイアス電圧が印加されるものである。
【００３０】
次に、上記画像形成装置の動作について説明する。
中間転写体１１に対向して設けられた４つの画像形成ユニット１０ａ、１０ｂ、１０ｃ、１０ｄで、それぞれ、イエロー、マゼンタ、シアン、黒のトナー像が形成される。トナー像の形成は次のような工程により行われる。
感光体ドラム１がそれぞれ帯電装置２によりほぼ一様に帯電され、露光装置３と対向する位置では、画像信号に応じてオンオフされるＬＥＤ素子から像光が照射される。これにより光照射された位置の電荷が減衰し、感光体ドラム１上に静電電位の差による潜像が形成される。各感光体ドラム１上の静電潜像は、現像装置４との対向位置において、トナーの転移によって現像され、トナー像が感光体ドラム１上に形成される。
【００３１】
このとき、現像領域では現像ロール４２からトナーが感光体ドラム１の表面に転移されており、現像ロール上の磁性キャリアから分離したトナーが浮遊したり、一旦感光体ドラム１上に転移したが、静電的な拘束力が充分でないために浮遊するトナーがある。このようなトナーは、図４に示すように現像領域から隣接する領域Ａに拡散することがある。しかし、露光装置３の透明電極３５には、―８００Ｖの電圧が印加されており、感光体ドラム１との間に形成される電界によって負電荷を有するトナーに斥力が作用する。このため、浮遊するトナーは感光体ドラム１側に移動し、露光装置３の光照射面に付着するのが防止される。
【００３２】
上記のように各画像形成ユニット１０ａ，１０ｂ，１０ｃ，１０ｄで、感光体ドラム１上に、それぞれイエロー、マゼンタ、シアン、黒のトナー像が形成され、各色トナー像は、転写装置５により中間転写体１１上へ重ね合わせて転写される。これにより、中間転写体１１上に複数色のトナー像が重ね合わされたカラー画像が形成される。中間転写体１１上に形成された複数色のトナー像は、中間転写体１１が転写ロール１２と対向する位置で、シートトレイ１３から搬送された記録シート上に転写され、定着装置１５を通過するときに加熱・加圧されて定着画像とされる。そして、トナー像が定着された記録シートは排紙トレイ１６へ排出される。
【００３３】
上記のような画像形成工程が終了した後、又は次の画像形成工程が開始される前に、露光装置３の清掃動作を行うように工程を設定することができる。
この露光装置３の清掃工程では、帯電装置２を起動させず、感光体ドラム１、転写装置５及び中間転写体１１を駆動し、感光体ドラム１の電圧Vlと現像ロール４２のバイアス電圧Vdとが等しくなるように設定する。そして、直流電圧Ｖbに交流電圧Ｖbppを重畳した電圧VLEDを透明電極３５に印加する。上記直流電圧Ｖbは、Vl＜Vbとなるように設定され、交流電圧Ｖbppのピークツーピーク値を２５００Ｖに設定する。このとき透明電極３５に付着していた逆帯電トナーつまり正電荷を有するトナーは透明電極３５を離れ感光体ドラム１上に転移して搬送される。そして、感光体ドラム１の表面に当接されたクリーニング装置６又は中間転写体に当接されたクリーニング装置１７によって除去される。その後、透明電極３５に印加される電圧VLEDが、Vl＞Vbとなるように設定された直流電圧Vbに交流電圧Vbppを重畳したものに切り換えられる。これにより透明電極３５上に付着していた正規の極性に帯電したトナー、つまり負電荷を有するトナーが透明電極３５から離れて感光体ドラム１に転移し、クリーニング装置６，１７によって除去される。したがって、画像形成工程中に、正規の極性に帯電したトナーに斥力を付与する電圧が透明電極３５に印加されることにより、わずかに含まれる逆極性のトナーが透明電極３５に付着することもあるが、上記露光装置３の清掃工程によって除去され、光照射面は清浄な状態に維持される。
【図面の簡単な説明】
【００３４】
【図１】本願に係る発明の一実施形態である画像形成装置の構成を示す概略図である。
【図２】図１に示す画像形成装置で用いられる画像形成ユニットの概略構成図である。
【図３】図１に示す画像形成装置で用いられる露光装置であるとともに、本願に係る発明の一実施形態である露光装置の概略断面図である。
【図４】図２に示す画像形成ユニットにおける感光体ドラムと現像装置及び露光装置とが対向する部位の拡大図である。
【符号の説明】
【００３５】
１：感光体ドラム、    ２：耐電装置、    ３：露光装置    ４：現像装置、    ５：転写装置、    ６：クリーニング装置、    １０：画像形成ユニット、    １１：中間転写体、    １２：転写ロール、    １３：シートトレイ、    １４：搬送路、    １５：定着装置、    １６：排紙トレイ、    １７：クリーニング装置、    １８：駆動ロール、    １９：対向ロール、    ２１：電圧制御装置、    ２３，２４，２５：支持ロール、    ３１：ＬＥＤ素子、    ３２：駆動用回路、    ３３：レンズ、    ３４：筐体、    ３５：透明電極、    ３６：電圧制御装置、    ４１：現像剤攪拌搬送手段、    ４２：現像ロール、    ４３：規制ブレード
【図１】
2006035427.tif 000003
【図２】
2006035427.tif 000004
【図３】
2006035427.tif 000005
【図４】
2006035427.tif 000006